(57)【特許請求の範囲】
【請求項１】
移動局から基地局へ送信される送信信号の受信電力を測定する受信装置であって、複数シンボルを含むシリアル受信信号を拡散符号により所定の逆拡散タイミングで逆拡散する逆拡散処理部と、受信信号を所定の検出タイミングで逆拡散した結果に基づいて同期タイミングを取得するタイミング取得部と、を備え、前記逆拡散タイミングが前記同期タイミングに更新され、前記逆拡散処理部で逆拡散された後、さらに復調された信号中の所定のシンボル群が受信ＳＩＲまたは受信電力の測定に用いられるＣＤＭＡ受信装置において、
前記シリアル受信信号は、
既知のシンボルパターンの複数のシンボルからなるパイロットシンボル群と、複数のシンボルからなるデータシンボル群と、を含み、
前記逆拡散処理部において前記パイロットシンボル群と前記データシンボル群が逆拡散され、逆拡散タイミングの更新は、前記データシンボル群と前記パイロットシンボル群との境界のタイミングで行われることを特徴とするＣＤＭＡ受信装置。
【請求項２】
請求項１に記載のＣＤＭＡ受信装置において、
受信ＳＩＲまたは受信電力の測定に用いられる前記パイロットシンボル群が前記逆拡散処理部において逆拡散される間は、同一の逆拡散タイミングが維持されることを特徴とするＣＤＭＡ受信装置。
【請求項３】
請求項１と２に記載のＣＤＭＡ受信装置において、
受信ＳＩＲまたは受信電力の測定は、前記パイロットシンボル群に対して行われることを特徴とするＣＤＭＡ受信装置。
【請求項４】
移動局から基地局へ送信される送信信号の受信電力を測定する受信装置であって、複数シンボルを含むシリアル受信信号を拡散符号により所定の逆拡散タイミングで逆拡散する逆拡散処理部と、受信信号を所定の検出タイミングで逆拡散した結果に基づいて同期タイミングを取得するタイミング取得部と、を備え、前記逆拡散タイミングが前記同期タイミングに更新され、前記逆拡散処理部で逆拡散された後、さらに復調された信号中の所定のシンボル群が受信ＳＩＲまたは受信電力の測定に用いられるＣＤＭＡ受信装置において、
前記シリアル受信信号は、
既知のシンボルパターンの複数のシンボルからなるパイロットシンボル群と、複数のシンボルからなるデータシンボル群と、を含み、
前記逆拡散処理部において前記パイロットシンボル群と前記データシンボル群が逆拡散され、逆拡散タイミングの更新は、前記データシンボル群と前記パイロットシンボル群との境界のタイミングで行われ、受信ＳＩＲまたは受信電力の測定は、前記パイロットシンボル群に対して行われ、受信ＳＩＲまたは受信電力の測定に用いられる前記パイロットシンボル群が前記逆拡散処理部において逆拡散される間は、同一の逆拡散タイミングが維持されることを特徴とするＣＤＭＡ受信装置。
【発明の詳細な説明】
【０００１】
【発明の属する技術分野】
本発明は、移動通信において用いられるＣＤＭＡ（符号分割多重接続）方式の受信装置に関し、特に、受信ＳＩＲまたは受信電力の測定結果に基づく送信電力制御をより精度良く行うための技術に関する。
【０００２】
【従来の技術】
ＣＤＭＡ方式では、基地局の管轄領域（セル，セクタ等）にある複数の移動局が同じ周波数帯域で通信を行うため、基地局において、ある移動局から受信した信号は、他の移動局から受信した信号に対しては、ノイズとなる。このため各移動局からの送信電力が同じである場合には、近い移動局から基地局が受信する信号の電力は、遠い移動局から受信する信号の電力に比べて高くなり、遠い移動局からの通信品質が、近い移動局からの受信信号によって劣化する、いわゆる遠近問題が生じる。この問題に対処するため、従来より、基地局での受信電力がほぼ同じレベルとなるように各移動局の送信電力の大きさが制御されるいわゆる送信電力制御が行われている。すなわち、基地局は、移動局に対して送信電力を制御する信号を送信し、基地局から遠い移動局の送信電力を大きく、また基地局に近い移動局の送信電力を小さくするよう制御する。
【０００３】
ところで、ＣＤＭＡ方式で受信信号から情報を取り出すには、送信時と同じタイミング（位相）で逆拡散を行う必要がある。このため、受信信号に対し、同期捕捉処理および同期追跡処理が行われる。
【０００４】
ここで、図３を参照して、同期追跡および送信電力制御を行う従来のＣＤＭＡ受信装置４０について説明する。なお、図３に示すＣＤＭＡ受信装置４０に入力される信号には既に同期捕捉処理等の前処理がなされており、この状態で拡散符号は既知であるとともに、ある程度の同期は既に確立されている。
【０００５】
基地局内に設けられるＣＤＭＡ受信装置４０は、複数（フィンガ数）の逆拡散・復調処理回路４２を備え、一つの信号が複数の経路（パス）から受信された際にも、パス毎に逆拡散・復調処理を行うことができる。各逆拡散・復調処理回路４２で処理された信号は、レイク合成器１４で同期して合成される。そして、レイク合成された信号に対して受信ＳＩＲ測定回路（または受信電力測定部）１６において受信ＳＩＲ（または受信電力）の測定が行われ、この測定結果に基づいて送信電力制御回路１８において各移動局に対する送信電力制御信号が生成される。
【０００６】
逆拡散・復調処理回路４２は、復調に際し、より精度良く受信信号との同期を取るための同期追跡回路５０を備える。同期追跡回路５０は、より具体的には、二つの予備逆拡散回路２２ａ，２２ｂを備え、これら予備逆拡散回路２２ａ，２２ｂは、同じ受信信号に対して、所定の拡散符号により、それぞれ異なるタイミングｔａ，ｔｂで逆拡散を行う。同期タイミングは、予備逆拡散回路２２ａ，２２ｂにおいて取得される相関値の大きさ（または逆拡散された結果としての信号強度［振幅］の大きさ）に基づいて、取得される。これを図４を参照して説明すると、逆拡散のタイミングが同期タイミングｔｄに近いほど、逆拡散された結果としての信号強度は大きくなるから、二つの予備逆拡散回路２２ａ，２２ｂにおいてタイミングｔａ，ｔｂでそれぞれ逆拡散された結果の信号強度がほぼ等しくなるとき（図４（ｂ））、これらタイミングｔａ，ｔｂの丁度中間のタイミングｔｃ＝（ｔａ＋ｔｂ）／２が、同期タイミングｔｄとなる。相関値検出回路２３において、受信信号に含まれる複数のシンボルについて、シンボル毎にタイミングｔａ，ｔｂの相関値が取得され、平均化回路２４において、複数シンボルに対して取得された同期タイミングの平均値として同期タイミングｔｄが算出される。位相制御回路５８は、同期タイミングｔｄが取得されると直ちに逆拡散回路３０における逆拡散タイミングを同期タイミングｔｄに更新し、これにより逆拡散回路３０は、更新された同期タイミングｔｄで復調するための逆拡散を行う。そして逆拡散回路３０から出力された信号が復調回路３２において復調され、この復調された信号が逆拡散・復調処理回路４２の出力信号となる。
【０００７】
【発明が解決しようとする課題】
逆拡散タイミングが更新されると、更新の前後で逆拡散した結果としての信号の強度が変動する。これは、上述したように、逆拡散タイミングが同期タイミングに近づくほど逆拡散した結果としての信号強度が大きくなり、また逆に同期タイミングから離れるほど逆拡散した結果としての信号強度が小さくなるためである。このため、逆拡散タイミングの更新が、送信電力制御のための受信ＳＩＲ（または受信電力）の測定の対象となるシンボル群に対して行われると、受信ＳＩＲの測定途中で、信号強度が変動することになる。受信ＳＩＲ測定の対象となるシンボル群において生じる信号強度の変化は、干渉波電力として計上されるため、測定された受信ＳＩＲと実際の受信ＳＩＲとの誤差が増大し、精度良く送信電力制御を行うことができなくなってしまう。
【０００８】
【課題を解決するための手段】
本発明にかかるＣＤＭＡ受信装置は、移動局から基地局へ送信される送信信号の受信電力を測定する受信装置であって、複数シンボルを含むシリアル受信信号を拡散符号により所定の逆拡散タイミングで逆拡散する逆拡散処理部と、受信信号を所定の検出タイミングで逆拡散した結果に基づいて同期タイミングを取得するタイミング取得部と、を備え、前記逆拡散タイミングが前記同期タイミングに更新され、前記逆拡散処理部で逆拡散された後、さらに復調された信号中の所定のシンボル群が受信ＳＩＲまたは受信電力の測定に用いられるＣＤＭＡ受信装置において、前記シリアル受信信号は、既知のシンボルパターンの複数のシンボルからなるパイロットシンボル群と、複数のシンボルからなるデータシンボル群と、を含み、前記データシンボル群が前記逆拡散処理部において逆拡散され、逆拡散タイミングの更新は、前記データシンボル群と前記パイロットシンボル群との境界のタイミングで行われる。さらに、受信ＳＩＲまたは受信電力の測定に用いられる前記パイロットシンボル群が前記逆拡散処理部において逆拡散される間は、同一の逆拡散タイミングが維持される。このような構成によれば、受信ＳＩＲまたは受信電力の測定に用いられるシンボル群において、同期追跡による信号強度の変動が生じないため、上記のような受信ＳＩＲまたは受信電力の測定誤差が抑制される。
【０００９】
また本発明では、前記シリアル受信信号は、既知のシンボルパターンの複数のシンボルからなるパイロットシンボル群と、複数のシンボルからなるデータシンボル群と、を含み、受信ＳＩＲまたは受信電力の測定は、前記パイロットシンボル群に対して行われ、逆拡散タイミングの更新は、前記データシンボル群が逆拡散される間に行われるのが好適である。こうすることで、上記のような受信ＳＩＲまたは受信電力の測定誤差がより確実に抑制される。
【００１０】
また本発明では、逆拡散タイミングの更新は、逆拡散タイミングの更新による信号強度の変化が同一シンボル群（パイロットシンボル群またはデータシンボル群）内で生じないタイミング、すなわち、前記データシンボル群と前記パイロットシンボル群との境界のタイミングで、行われるのが好適である。こうすることで、データシンボルの復調処理についても信号強度の変化による悪影響が生じることがない。
【００１１】
【発明の実施の形態】
以下、本発明の実施形態について図面を参照しながら説明する。図１は、本実施形態にかかるＣＤＭＡ受信装置１０のブロック図である。なお、図１において、従来と同様の構成要素については図３と同じ符号を付している。
【００１２】
例えば基地局内に設けられるＣＤＭＡ受信装置１０は、上記従来装置と同様に、複数（フィンガ数）の逆拡散・復調処理回路１２を備え、一つの信号が複数の経路（パス）から受信された際にも、パス毎に逆拡散・復調処理を行うことができる。各逆拡散・復調処理回路１２で処理された信号は、レイク合成器１４で同期して合成される。そして、レイク合成された信号に対して受信ＳＩＲ測定回路１６で受信ＳＩＲ（または受信電力）の測定が行われる。この測定結果に基づいて送信電力制御回路１８において各移動局に対する送信電力が決定され、各移動局に向けて送信される送信電力制御信号が生成される。この送信電力制御信号が対応する移動局（図示せず）に向けて送信される。なお、シリアルデータとしての受信信号は、１スロット内に、既知のシンボルパターンの複数のシンボルからなるパイロットシンボル群と、複数のシンボルからなるデータシンボル群と、を含み、受信ＳＩＲまたは受信電力の測定は、シンボルパターンが既知であるパイロットシンボル群に対して行われる。
【００１３】
逆拡散・復調処理回路１２は、復調に際し、より精度良く同期を取るため、従来と同様の同期追跡回路２０を備える。同期追跡回路２０は、より具体的には、二つの予備逆拡散回路２２ａ，２２ｂを備え、これら予備逆拡散回路２２ａ，２２ｂは、同じ受信信号に対して、所定の拡散符号により、それぞれ異なるタイミングｔａ，ｔｂで逆拡散を行う。同期タイミングは、予備逆拡散回路２２ａ，２２ｂにおいて取得される相関値の大きさ（または逆拡散された結果としての信号強度［振幅］の大きさ）に基づいて、取得される。この同期追跡回路２０は、タイミング取得部に相当する。上述したように、同期追跡回路２０では、これらタイミングｔａ，ｔｂの丁度中間のタイミングｔｃ＝（ｔａ＋ｔｂ）／２が、同期タイミングｔｄとして取得される。相関値検出回路２３において、受信信号に含まれる複数のシンボルについて、シンボル毎にタイミングｔａ，ｔｂの相関値が取得され、平均化回路２４において、複数シンボルに対して取得された同期タイミングの平均値として同期タイミングｔｄが算出される。
【００１４】
本実施形態では、こうして取得された同期タイミングｔｄが、同期タイミング保持回路２６において保持される。そして位相制御回路２８は、受信ＳＩＲ（受信電力）の測定対象であるパイロットシンボル群に対しては、逆拡散タイミングの更新を行わず、データシンボル群に対して逆拡散タイミングの更新を行う。すなわち、位相制御回路２８は、新たに現行の逆拡散タイミング（すなわち復調前の逆拡散回路３０における逆拡散タイミング）と異なる同期タイミングが取得された場合にも、パイロットシンボル群が逆拡散回路３０において逆拡散される間は逆拡散タイミングの更新を行わず、現行の逆拡散タイミングを維持するとともに、データシンボル群が逆拡散回路３０において逆拡散されるときに、現行の逆拡散タイミングを同期タイミングに更新する。こうすることで、受信ＳＩＲの対象となるパイロットシンボル群については逆拡散タイミングの更新に伴う信号強度の変動が生じることがなく、これに伴って生じる受信ＳＩＲ測定の誤差の増大を抑制することができる。そして逆拡散回路３０から出力された信号が復調回路３２において復調され、この復調された信号が逆拡散・復調処理回路１２の出力信号となる。
【００１５】
なお、逆拡散タイミングを同期タイミングに更新するタイミングとしては、図２に示すように、データシンボル群とパイロットシンボル群との境界またはその近傍（例えばデータシンボル群の最終シンボル内）の逆拡散タイミングＰとするのが好適である。こうすることで、データシンボルの復調に対しても、信号強度の変動による悪影響を抑制することができる。なお、位相制御（逆拡散タイミングの更新）を開始して実際に位相制御が完了するまでには所定時間（例えば１シンボル）必要とするから、逆拡散回路３０においてパイロットシンボル群とデータシンボル群との境界点となるタイミングより開始から完了までの所要時間（例えば１シンボル）前のタイミングＱで位相制御を開始するのが好適である。
【００１６】
【発明の効果】
以上説明したように、本発明によれば、送信電力制御のための受信ＳＩＲ（または受信電力）の測定の対象となるシンボル群に対しては逆拡散タイミングの更新が行われず、当該シンボル群においてその更新に伴う信号強度の変動が生じることがないので、受信ＳＩＲの測定誤差を抑制でき、より精度良く送信電力制御を行うことができる。
【図面の簡単な説明】
【図１】  本発明の実施形態にかかるＣＤＭＡ受信回路を示すブロック図である。
【図２】  本発明の実施形態にかかるＣＤＭＡ受信回路における好適な更新タイミングの一例を示す図である。
【図３】  従来のＣＤＭＡ受信回路を示すブロック図である。
【図４】  同期追跡タイミング（逆拡散タイミング）による相関値の変化を示す説明図である。
【符号の説明】
１０  ＣＤＭＡ受信装置、１２  逆拡散・復調処理回路、１４  レイク合成器、１６  ＳＩＲ測定回路、１８  送信電力制御回路、２０  同期追跡回路、２２ａ，２２ｂ  予備逆拡散回路、２３  相関値検出回路、２４  平均化回路、２６同期タイミング保持回路、２８  位相制御回路、３０  逆拡散回路、３２  復調回路。
【図１】
0003759888.tif 000002
【図２】
0003759888.tif 000003
【図３】
0003759888.tif 000004
【図４】
0003759888.tif 000005